(57)【要約】【課題】通信の方法、システム、電子デバイスおよび周辺機器を提供する。【解決手段】本発明は、第一周辺機器と電子デバイスとを有する通信システムを開示する。第一周辺機器は接触信号生成器を有する。接触信号生成器は、所定の接触信号ストリームを生成する。電子デバイスは、接触感知装置と処理装置とを有する。接触感知装置は、第一周辺機器により生成される所定の接触信号ストリームを受信する。処理装置が、所定の接触信号ストリームを読み取るように設定される。【選択図】図５
2015127961.tif 000002
【特許請求の範囲】
【請求項１】
通信システムであって、
所定の接触信号ストリームを生成する接触信号生成器を有する第一周辺機器と、
前記第一周辺機器により生成される前記所定の接触信号ストリームを受信する接触感知装置、および、前記所定の接触信号ストリームを読み取る処理装置を有する電子デバイスと、
を有することを特徴とする通信システム。
【請求項２】
前記第一周辺機器により生成される前記所定の接触信号ストリームは、複数の接触信号を有し、前記複数の接触信号のそれぞれは、高レベルと低レベルで構成され、前記複数の接触信号の前記高レベルと前記低レベルとの長さの組み合わせが、第一所定パターンを構成することを特徴とする請求項１に記載の通信システム。
【請求項３】
前記電子デバイスは、さらに、複数の所定パターンを保存するストレージデバイスを有し、前記複数の所定パターンには前記第一所定パターンが含まれており、
前記処理装置が、前記第一周辺機器から受信される前記所定の接触信号ストリームが、前記複数の所定パターンのひとつに符合するかどうか判断して、前記第一周辺機器を識別するようにさらに設定されていることを特徴とする請求項２に記載の通信システム。
【請求項４】
前記ストレージデバイスは識別表を有し、前記複数の所定パターンと前記電子デバイスと互換性がある複数の周辺機器間の対応する関係、および、前記複数の所定パターンのアプリケーションを保存し、
前記複数の周辺機器には前記第一周辺機器が含まれており、
前記処理装置が、前記第一周辺機器が識別されるとき、前記第一周辺機器に対応する前記アプリケーションを実行するようにさらに設定されていることを特徴とする請求項３に記載の通信システム。
【請求項５】
前記電子デバイスは、さらに、所定の光信号を生成して、前記所定の光信号を前記第一周辺機器に送信するディスプレイ装置を有することを特徴とする請求項１に記載の通信システム。
【請求項６】
前記複数の周辺機器のそれぞれは、さらに、
前記所定の光信号を受信する光センサーと、
前記所定の光信号を読み取り、前記所定の光信号に対応して操作する処理装置と、
を有することを特徴とする請求項４に記載の通信システム。
【請求項７】
接触信号を出力し、光信号を受信する周辺機器であって、前記周辺機器は、
所定の接触信号ストリームを生成すると共に、前記所定の接触信号ストリームを電子デバイスに送信する接触信号生成器と、
前記電子デバイスから、所定の光信号を受信する光センサーと、
前記所定の光信号を読み取り、前記所定の光信号に対応して操作する処理装置と、
を有することを特徴とする周辺機器。
【請求項８】
前記処理装置は、前記所定の光信号の周波数と輝度にしたがって、前記所定の光信号を読み取ることを特徴とする請求項７に記載の周辺機器。
【請求項９】
前記所定の接触信号ストリームは、複数の接触信号を有し、前記複数の接触信号のそれぞれは、高レベルと低レベルとで構成され、前記複数の接触信号の前記高レベルと前記低レベルの長さの組み合わせは、所定パターンを構成することを特徴とする請求項７に記載の周辺機器。
【請求項１０】
さらに、前記所定の光信号にしたがって、出力信号をユーザーに提供する出力装置を有することを特徴とする請求項７に記載の周辺機器。
【請求項１１】
前記接触信号生成器は導電性ゴムであることを特徴とする請求項７に記載の周辺機器。
【請求項１２】
前記出力装置は、少なくともひとつの LEDであることを特徴とする請求項１０に記載の周辺機器。
【請求項１３】
接触信号を出力し、光信号を受信する電子デバイスであって、前記電子デバイスは、
第一周辺機器から、所定の接触信号ストリームを受信する接触感知装置と、
所定の光信号を生成すると共に、前記所定の光信号を前記第一周辺機器に送信するディスプレイ装置と、
前記所定の接触信号ストリームを読み取ると共に、前記所定の接触信号ストリームに対応して操作する処理装置と、
を有することを特徴とする電子デバイス。
【請求項１４】
前記電子デバイスは、さらに、複数の所定パターンを保存するストレージデバイスを有し、前記処理装置が、前記第一周辺機器から受信される前記所定の接触信号ストリームが、前記所定パターンのひとつに符合するかどうか判断し、前記第一周辺機器を識別するようにさらに設定されていることを特徴とする請求項１３に記載の電子デバイス。
【請求項１５】
通信システムに適用される通信方法であって、
第一周辺機器がインタラクティブサーフェスにあるとき、第一周辺機器から、初期接触信号を受信する工程と、
前記初期接触信号が受信されるとき、初期光信号を生成すると共に、前記初期光信号を前記第一周辺機器に送信する工程と、
前記初期光信号が前記第一周辺機器に送信された後、所定の接触信号ストリームが、前記第一周辺機器から受信されるかどうか判断する工程と、
を有することを特徴とする通信方法。
【請求項１６】
前記所定の接触信号ストリームが、前記第一周辺機器から受信されるとき、前記所定の接触信号ストリームを読み取ると共に、前記所定の接触信号ストリームのパターンが、複数の所定パターンのひとつに符合するかどうか判断する工程と、
前記所定の接触信号ストリームが、前記複数の所定パターンの第一所定パターンに符合するとき、前記第一周辺機器が、前記電子デバイスと互換性がある前記周辺機器のひとつであると判断する工程と、
を有することを特徴とする請求項１５に記載の通信方法。
【請求項１７】
前記第一周辺機器により生成される前記所定の接触信号ストリームは、複数の接触信号を有し、前記複数の接触信号のそれぞれは、高レベルと低レベルとで構成され、前記複数の接触信号の前記高レベルと前記低レベルの長さの組み合わせは、前記第一所定パターンを構成することを特徴とする請求項１６に記載の通信方法。
【請求項１８】
前記所定の接触信号ストリームの前記パターンが、前記複数の所定パターンのひとつに符合するかどうか判断する前記ステップは、さらに、識別表にしたがって、前記所定の接触信号ストリームの前記パターンが、前記複数の所定パターンのひとつに符合するかどうか判断する工程を有し、
前記識別表は、前記所定パターンと前記電子デバイスと互換性がある複数の周辺機器間の対応する関係、および、前記所定パターンのアプリケーションを保存し、前記複数の周辺機器には、前記第一周辺機器が含まれていることを特徴とする請求項１６に記載の通信方法。
【請求項１９】
さらに、前記第一周辺機器が、前記電子デバイスと互換性がある前記複数の周辺機器のひとつであると判断した後、所定の光信号を生成すると共に、前記所定の光信号を前記第一周辺機器に送信する工程を有することを特徴とする請求項１６に記載の通信方法。
【請求項２０】
前記所定の光信号は、前記第一周辺機器を有効にして、前記所定の接触信号ストリームの生成を停止すると共に、前記第一周辺機器を有効にして、出力信号を生成し、前記出力信号は、前記第一周辺機器が、前記電子デバイスにうまく接続されたことを示すことを特徴とする請求項１９に記載の通信方法。
【発明の詳細な説明】
【技術分野】
【０００１】
本発明は、通信方法に関するものであって、特に、接触信号ストリーム（touch-signal stream）を用いた通信方法に関するものである。
【背景技術】
【０００２】
近年、モバイル機器が高度に発展し、多機能にもなっている。たとえば、携帯電話やタブレットなどの携帯端末は、電気通信能力、電子メールの送受信、ソーシャルネットワークの維持、連絡簿管理、媒体再生の機能を有し、ユーザーは、それらのモバイル機器上で、通話や、ソーシャルネットワークインタラクションまたは商取引など、各種アプリケーションを実行することができる。よって、モバイル機器は、人々の生活における生活必需品となっている。
【０００３】
現在、多種の電子デバイスは、タッチセンサー式ディスプレイユニット（たとば、タッチスクリーンディスプレイ）を配備し、ユーザーは、タッチスクリーンディスプレイにより指令を入力する。このほか、このようなタッチスクリーン技術を用いた各種アプリケーションも増加し、タッチスクリーンディスプレイの相関使用方式が発展して、電子デバイスのアプリケーションをさらに多機能に、面白くしている。
【発明の概要】
【発明が解決しようとする課題】
【０００４】
本発明は、通信の方法、システム、電子デバイスおよび周辺機器を提供することを目的とする。
【課題を解決するための手段】
【０００５】
本発明は、第一周辺機器と電子デバイスとを有する通信システムを開示する。第一周辺機器は接触信号生成器を有する。接触信号生成器は、所定の接触信号ストリームを生成する。電子デバイスは、接触感知装置と処理装置とを有する。接触感知装置は、第一周辺機器により生成される所定の接触信号ストリームを受信する。処理装置が、所定の接触信号ストリームを読み取るように設定される。
【０００６】
本発明は、さらに、接触信号を出力し、光信号を受信する周辺機器を開示する。周辺機器は、接触信号生成器、光センサーおよび処理装置を有する。接触信号生成器は、所定の接触信号ストリームを生成し、所定の接触信号ストリームを電子デバイスに送信する。光センサーは、電子デバイスから、所定の光信号を受信する。処理装置が、所定の光信号を読み取り、所定の光信号に対応して操作するように設定される。
【０００７】
本発明は、さらに、接触信号を出力し、光信号を受信する電子デバイスを開示する。電子デバイスは、接触感知装置、ディスプレイ装置および処理装置を有する。接触感知装置は、第一周辺機器から、所定の接触信号ストリームを受信する。ディスプレイ装置は、所定の光信号を生成すると共に、所定の光信号を第一周辺機器に送信する。処理装置は、所定の接触信号ストリームを読み取り、所定の接触信号ストリームに対応して操作する。
【０００８】
本発明は、さらに、通信システムに適用される通信方法を開示する。通信方法は、第一周辺機器がインタラクティブサーフェス上にあるとき、第一周辺機器から、初期接触信号を受信する工程と、初期接触信号が受信されるとき、初期光信号を生成すると共に、初期光信号を第一周辺機器に送信する工程と、初期光信号が第一周辺機器に送信された後、所定の接触信号ストリームが、第一周辺機器から受信されるかどうか判断する工程、を有する。
【図面の簡単な説明】
【０００９】
【図１】本発明の一実施形態に係る通信システムを示す図である。
【図２】同実施形態に係る接触信号ストリームを示す図である。
【図３】同実施形態に係る周辺機器の複数の実施形態を示す図である。
【図４】同実施形態に係る通信システムを示す図である。
【図５】同実施形態に係る通信方法のフローチャートである。
【発明を実施するための形態】
【００１０】
本発明の更なる特徴及び利点は、以下の本発明の好ましい実施形態についての説明、添付図面及び特許請求の範囲から明らかになるであろう。
【００１１】
図１は、本発明の一実施形態に係る通信システムを示す図である。通信システム1000は、周辺機器200と電子デバイス100とを有するが、これに限定されない。通信システム1000中、周辺機器200と電子デバイス100間の信号は、接触信号と光信号で、周辺機器200は、接触信号を出力し、光信号を受信し、電子デバイス100は、接触信号を受信し、光信号を出力する。
【００１２】
電子デバイス100は、ラップトップ型パソコン、スマートフォンまたはPDAであるが、これに限定されない。電子デバイス100は、携帯端末、マルチプロセッサーベース、マイクロプロセッサベースまたはプログラム可能な消費家電、ネットワークPC、ミニコンピュータ、メインフレームコンピュータ等を含むその他のコンピュータシステム構成で実行される。電子デバイス100は、接触感知装置102、ディスプレイ装置104、処理装置106およびストレージデバイス108を有する。
【００１３】
接触感知装置102は、周辺機器200から、周辺機器200に対応する初期接触信号または所定の接触信号ストリームを受信する。
【００１４】
ディスプレイ装置104は、初期光信号、および、周辺機器200の異なる指令に対応する複数の所定の光信号を生成する。たとえば、初期光信号は、所定周波数で３回点滅する光信号であるが、これに限定されない。別の実施形態において、初期光信号は、所定周波数で５回点滅する光信号、または、所定の色と輝度とを有する光信号である。所定の光信号は、異なる指令とアプリケーションに対応するフラッシュ周波数、輝度、または、色で変化するが、これに限定されない。注意すべきことは、これに限定されないが、接触感知装置102は、ディスプレイ装置104の画素ユニット中に組み込まれる、または、ディスプレイ装置104の表面を被覆する。つまり、接触感知装置102とディスプレイ装置104はタッチパネルを構成し、タッチパネルは、これに限定されないが、容量性タッチパネル、抵抗タッチパネルまたは投射容量性タッチパネルなどである。たとえば、容量性タッチパネルは、容量性タッチパネルと接触信号生成器202、ユーザーの手、または、タッチペン間の容量変化にしたがって、接触物体を検出すると共に、接触物体の位置を判断して、対応する信号を処理装置106に生成する。抵抗タッチパネルは、接触信号生成器202または物体と抵抗タッチパネル間の抵抗変化にしたがって、接触物体を検出すると共に、接触物体の位置を判断して、対応する信号を処理装置106に生成する。投射容量性タッチパネルは、接触信号生成器202、ユーザーの手により実行される接触物体、または、投射容量性タッチパネルのインジウムスズ酸化物（ITO）透明電極上の導電性物体に対応する容量性感知にしたがって、接触物体を検出し、接触物体の位置を判断して、対応する信号を処理装置106に生成する。
【００１５】
処理装置106は、中央処理装置（CPU）、または、並列処理環境に関連する複数の並列処理装置を有する。注意すべきことは、本実施形態において、処理装置106は、単一チップまたは複数のチップ中に設置されることである。一実施形態において、処理装置106が、所定の接触信号ストリームと周辺機器200から受信された初期接触信号のパターンを読み取り、所定の接触信号ストリームと初期接触信号のパターンに対応して操作するように設定される。さらに、処理装置106が、初期接触信号賀寿新されるとき、ディスプレイ装置104を有効にし、初期光信号を生成するように設定される。次に、処理装置106が、周辺機器200から、接触感知装置102により受信された所定の接触信号ストリームが、ストレージデバイス108中に保存される複数の所定パターンのひとつに符合するかどうか判断して、周辺機器200が認定されるかどうか識別し、認定された周辺機器200のタイプとアプリケーションを識別するようにさらに設定される。
【００１６】
ストレージデバイス108は、識別表を有し、所定パターンと電子デバイス100と互換性がある複数の周辺機器間の対応する関係、および、所定パターンのアプリケーションを保存する。たとえば、ストレージデバイス108は、ロム（ROM）、フラッシュROMおよび／またはランダムアクセスメモリ（RAM）を有して、処理装置106により実行されるプログラムを保存する。複数の実施形態において、プログラムは、ルーティン、プログラム、物件、素子、または、ウェブサービスを含む。
【００１７】
周辺機器200は、特定形状とサイズを有して、電子デバイス100のアプリケーションと合わせて使用することができる。たとえば、周辺機器200は、これに限定されないが、キー、人形、その他の特別なデザインに設計することができる。周辺機器200は、接触信号生成器202、光センサー204、出力装置206、処理装置208およびストレージデバイス210を有する。
【００１８】
接触信号生成器202は、初期接触信号と周辺機器200に対応する所定の接触信号ストリームとを生成し、生成された初期接触信号と周辺機器200に対応する所定の接触信号ストリームとを、電子デバイス100に送信する。実施形態のひとつにおいて、接触信号生成器202は、これに限定されないが、導電性ゴムで、電子デバイス100のインタラクティブサーフェスと接触すると共に、電源に結合されるスイッチにより、指やその他のタッチ装置により生成される信号に類似する接触信号を生成する。たとえば、初期接触信号は、所定周波数で３回電圧レベルを引き上げる接触信号であるが、これに限定されない。別の実施形態において、初期接触信号は、所定周波数で５回電圧レベルを引き上げる接触信号である。さらに、図２に示されるように、周辺機器200により生成される所定の接触信号ストリームは、複数の接触信号で、各接触信号は高レベルと低レベルとにより構成され、接触信号の高レベルと低レベルとの長さの組み合わせは、所定パターンを構成する。注意すべきことは、図２に示されるように、通信システム1000は複数の周辺機器を有し、周辺機器200A-200Nの数量が限定されないことである。異なる周辺機器200A-200Nは、異なるアプリケーションを含む。たとえば、異なる周辺機器200A-200Nは、ゲームの異なるレベルのキーである。ユーザーは、異なる周辺機器200A-200Nを必要として、レベルを解除し、ゲームするが、これに限定されない。別の実施形態において、異なる周辺機器200A-200Nは、これに限定されないが、ゲーム中の異なる駒やキャラクターである。一実施形態において、電子デバイス100は、それぞれ、周辺機器200A-200Nにしたがって、対応するアプリケーションを実行する。別の実施形態において、電子デバイス100は、接続された周辺機器200A-200Nの組み合わせにしたがって、対応するアプリケーションを実行する。さらに、周辺機器200A-200Nの所定の接触信号ストリームTSA-TSNのパターンは互いに異なる。電子デバイス100は、受信した所定の接触信号ストリームにしたがって、接続された周辺機器200A-200Nを識別する。
【００１９】
注意すべきことは、周辺機器200が接触感知装置102上にあるとき、接触信号生成器202は初期接触信号を生成することである。たとえば、周辺機器200は、さらに、感知装置を有し、周辺機器200が、接触感知装置102上にあるかどうかを判断し、周辺機器200が、接触感知装置102上にあるとき、接触信号生成器202を有効にして、初期接触信号を生成する。周辺機器200は、さらに、スイッチを有する（図示しない）。ユーザーがスイッチをオンにするとき、スイッチは、スイッチのイネーブル信号にしたがって、接触信号生成器202を有効にして、初期接触信号を生成する。
【００２０】
さらに、図３Ａ〜図３Ｃに示されるように、接触信号生成器202は、周辺機器200と電子デバイス100を接続する表面に設置されて、電子デバイス100の接触感知装置102上で、初期接触信号と所定の接触信号ストリームを生成する。図３Ａの実施形態において、周辺機器200は底面を有し、接触信号生成器202は、接触点TPを有して、底面で、電子デバイス100のインタラクティブ表面ISFを接続するが、これに限定されない。図３Ｂの実施形態において、周辺機器200は底面を有し、接触信号生成器202は、底面に設置され、直線で配列される３つの接触点TPを有し、３つの接触点TPは、電子デバイス100のインタラクティブサーフェスISFと接続する。さらに、図３Ｃの実施形態において、周辺機器200は底面を有し、接触信号生成器202は、三角形で底面に配列される３つの接触点TPを有し、３つの接触点TPは、電子デバイス100のインタラクティブサーフェスISFと接続する。注意すべきことは、一実施形態において、処理装置106は、周辺機器200の位置にしたがって、インタラクティブサーフェスISF上にある周辺機器200間の反対方向を検出する。別の実施形態において、周辺機器200の接触信号生成器202が、少なくとも二個の接触点TPを有するとき、接触信号生成器202は、異なる接触点TPを有効にして、異なる接触信号を生成し、これにより、処理装置106は、異なる接触信号にしたがって、接触点TPの位置を定位させて、周辺機器200の絶対方向を決定する。別の実施形態において、周辺機器200の接触信号生成器202が少なくとも３つの接触点TPを有するとき、接触信号生成器202は、接触点TPの反対方向にしたがって、直接、周辺機器200の絶対方向を決定する。たとえば、底面の３つの接触点TPが、鋭角の二等辺三角形を構成するとき、処理装置106は、鋭角二等辺三角形の方向にしたがって、周辺機器200の絶対方向を決定することができる。
【００２１】
図３Ａから図３Ｃに示されるように、光センサー204は電子デバイス100から、初期光信号を受信する。図３Ａから図３Ｃの実施形態において、周辺機器200は底面を有し、光センサー204は、底面に、光感知点LTを有する。光感知点LTは、電子デバイス100から、光信号を受信する。たとえば、光センサー204は、光センサーまたはフォトトランジスタであるが、これに限定されない。別の実施形態において、光センサー204が、さらに、電子デバイス100から、所定の光信号を受信するように配置される。たとえば、光センサー204は、初期光信号と所定の光信号の輝度、色および周波数を検出するために配置されるフォトレジスタである。注意すべきことは、実施形態のひとつにおいて、光センサー204が、周辺機器200と電子デバイス100を接続する表面に設置され、電子デバイス100のディスプレイ装置104により生成される光信号を受信することであるが、これに限定されない。別の実施形態において、光センサー204は、電子デバイス100のディスプレイ装置104の光信号を受信することができる別の場所に設置してもよい。
【００２２】
出力装置206は、受信した所定の光信号および／または初期光信号にしたがって、対応する出力信号をユーザーに提供する。たとえば、出力装置206は、周辺機器200で実行される少なくともひとつのLEDであり、LEDは、異なる状況に対応して、異なる光信号をユーザーに提供するが、これに限定されない。出力装置206は、さらに、ディスプレイスクリーン、または、スピーカーである。
【００２３】
処理装置208は、中央処理装置（CPU）または並列処理環境に関連する複数の並列処理装置を有する。注意すべきことは、本実施形態において、処理装置208は、単一チップまたは複数のチップに設置されることである。実施形態のひとつにおいて、処理装置208が、光センサー204により受信される初期光信号と所定の光信号のパターンを読み取り、初期光信号と所定の光信号のパターンに対応して操作するように設定される。たとえば、処理装置208は、初期光信号と所定の光信号の輝度、色および周波数にしたがって、受信した初期光信号と所定の光信号のパターンを読み取る。一実施形態において、初期光信号が電子デバイス200から受信されるとき、処理装置208が、接触信号生成器202を有効にして、所定の接触信号ストリームを生成するように設定され、よって、電子デバイス200は、所定の接触信号ストリームにしたがって、周辺機器200を識別する。別の実施形態において、処理装置208が、電子デバイス200から受信された所定の光信号に対応して操作するようにさらに設定される。たとえば、処理装置208は、出力装置206を有効にして、受信した所定の光信号に対応する出力信号をユーザーに生成する。 
【００２４】
ストレージデバイス210は、ロム（ROM）、フラッシュROMおよび／またはランダムアクセスメモリ（RAM）を有して、処理装置208により実行されるプログラムを保存する。複数の実施形態において、プログラムは、ルーティン、プログラム、物件、素子、または、ウェブサービスを含む。一実施形態において、ストレージデバイス210は、さらに、識別表を有して、光信号とアプリケーション間の対応する関係を保存する。
【００２５】
図４は、本実施形態の通信システムを示す図である。本実施形態において、処理装置106が、アプリケーション、たとえば、これに限定されないが、ゲームソフトウェアを実行するように設定される。別の実施形態において、アプリケーションは財務ソフトウェアで、周辺機器200は個人のキーである。ゲームソフトウェアが周辺機器200に要求するとき、処理装置106は、初期接触信号が、周辺機器200から受信されるかどうか判断するが、これに限定されない。別の実施形態において、処理装置106は、ゲームソフトウェアにより要求されなくても、随時、初期接触信号が受信されるかどうか判断する。たとえば、処理装置106は、初期接触信号が、アプリケーションの実行中に受信されるかどうか判断する。別の実施形態において、処理装置106は、さらに、初期接触信号が、運転システム（OS）で受信されるかどうか判断し、初期接触信号が受信されるとき、対応するアプリケーションを起動する。たとえば、電子デバイス100は、インタラクティブサーフェスISFを有するタッチパネルを備えたタブレットである。電子デバイス100がゲームソフトウェアを実行するとき、周辺機器200Aと周辺機器200Bは、それぞれ、領域TA1と領域AT2上に位置する。領域TA1と領域TA2はアプリケーションにより決定され、領域の数量は、本実施形態に限定されない。別の実施形態において、周辺機器は、インタラクティブサーフェスISFの各領域上にあり、処理装置106が、受信した初期接触信号または所定の接触信号ストリームにしたがって、インタラクティブ表面ISF上の周辺機器200Aと周辺機器200Bの位置を判断するように設定されると共に、領域TA1と領域TA2のような、周辺機器200Aと周辺機器200B下の領域を定義する。注意すべきことは、一実施形態において、ユーザーは、直接、領域TA1上に、周辺機器200Aを設置し、領域TA1上に設置された場合、周辺機器200Aの接触信号生成器202は、領域TA1上で、初期接触信号を生成するが、これに限定されない。別の実施形態において、ユーザーは、周辺機器200Aを領域TA1に設置する前に、周辺機器200Aのスイッチ（図示しない）をオンにして、接触信号生成器202を有効にし、初期接触信号を生成する必要がある。初期接触信号は、所定周波数で３回電圧レベルを引き上げる接触信号であるが、これに限定されない。別の実施形態において、初期接触信号は、所定周波数で５回電圧レベルを引き上げる接触信号である。注意すべきことは、周辺機器200Aは、初期接触信号の送信後、初期光信号が、周辺機器200Aから受信されるかどうかの検出を開始することである。処理装置106が、初期接触信号が、接触感知装置102の周辺機器200から受信されると判断するとき、処理装置106は、ディスプレイ装置104を有効にして、領域TA1で、初期光信号を生成すると共に、接触感知装置102を有効にして、初期光信号送信後、領域TA1が、所定の接触信号ストリームを受信したかどうか検出する。次に、周辺機器200の処理装置208Aが、領域TA1から、光センサー204の初期光信号を受信するとき、処理装置208は、接触信号生成器202を有効にして、領域TA1で、所定の接触信号ストリームTSAを生成すると共に、領域TA1が、電子デバイス100から所定の光信号を受信するかどうか検出する。電子デバイス100の接触感知装置102が、周辺機器200Aから、所定の接触信号ストリームTSAを受信��るとき、処理装置106は、所定の接触信号ストリームTSAのパターンが、ストレージデバイス108中に保存される複数の所定パターンのひとつに符合するかどうか判断して、周辺機器200Aが認定されるか識別すると共に、認定された周辺機器200Aのタイプとアプリケーションを識別するか確認する。処理装置106が、所定の接触信号ストリームTSAのパターンが、ストレージデバイス108中に保存される複数の所定パターンのひとつに符合すると判断するとき、処理装置106は、ディスプレイ装置104を有効にして、領域TA1で、所定の光信号を生成する。周辺機器200Aの光センサー204が、領域TA1から、ディスプレイ装置104により生成される所定の光信号を受信するとき、周辺機器200Aは、所定の接触信号ストリームTSAの生成を停止すると共に、出力装置206を有効にして、対応する信号をユーザーに提供し、対応する信号は、識別の完了を示すが、これに限定されない。
【００２６】
図５は、本発明の一実施形態による通信方法のフローチャートである。この通信方法が、図１の通信システム1000に適用される。プロセスはステップS500から開始される。
【００２７】
ステップS500において、周辺機器200の接触信号生成器202は初期接触信号を生成し、初期接触信号を電子デバイス100に送信する。一実施形態において、周辺機器200が、接触感知装置102上にあるとき、接触信号生成器202は初期接触信号を生成する。別の実施形態において、周辺機器200は、さらに、スイッチを有する（図示しない）。ユーザーがスイッチをオンにするとき、スイッチは、スイッチのイネーブル信号にしたがって、接触信号生成器202を有効にして、初期接触信号を生成する。
【００２８】
次に、ステップS502において、電子デバイス100の接触感知装置102が、初期接触信号を受信する。
【００２９】
次に、ステップS504において、電子デバイス100の処理装置106はディスプレイ装置104を有効にして、初期光信号を生成し、初期光信号を周辺機器200に送信し、および、接触感知装置102を有効にして、初期光信号の送信後、所定の接触信号ストリームが、周辺機器200から受信されるかどうかを検出する。
【００３０】
次に、ステップS506において、周辺機器200の処理装置208は、光センサー204が、初期光信号を受信するかどうか判断する。光センサー204が初期光信号を受信するとき、プロセスはステップS508に進み、そうでなければ、プロセスはステップS500に戻り、周辺機器200の接触信号生成器202は、初期接触信号を生成し、再度、電子デバイス100に送信する。たとえば、周辺機器200の処理装置208は、光センサー204が所定時間内に受信されるかどうか判断する。光センサー204が所定時間で受信されないとき、プロセスはステップS500に戻るが、これに限定されない。
【００３１】
ステップS508において、周辺機器200の処理装置208は、接触信号生成器202を有効にして、周辺機器200に対応する所定の接触信号ストリームを生成すると共に、所定の接触信号ストリームを電子デバイス100に送信する。所定の接触信号ストリームは複数の接触信号を有し、各接触信号は、高レベルと低レベルで構成され、接触信号の高レベルと低レベルの長さの組み合わせは、所定パターンを構成する。
【００３２】
次に、ステップS510において、電子デバイス100の接触感知装置102は、周辺機器200から、所定の接触信号ストリームを受信する。 
【００３３】
次に、ステップS512において、電子デバイス100の処理装置106は、所定の接触信号ストリームのパターンを読み取り、所定の接触信号ストリームのパターンが、識別表の所定パターンのひとつに符合するかどうか判断する。所定の接触信号ストリームのパターンが、識別表の所定パターンのひとつに符合するとき、プロセスはステップS514に進み、そうでなければ、プロセスはステップS510に戻り、電子デバイス100の接触感知装置102は、周辺機器200からの所定の接触信号ストリームの受信を続行する。
【００３４】
ステップS514において、電子デバイス100の処理装置106は、ディスプレイ装置104を有効にして、識別の完了を示す所定の光信号を生成し、電子デバイス100は、所定の光信号を周辺機器200に送信する。
【００３５】
次に、ステップS516において、周辺機器200の処理装置208は、所定の光信号にしたがって、接触信号生成器202を有効にして、所定の接触信号ストリームの生成を停止する。プロセスはステップS516で終了する。別の実施形態において、処理装置208がさらに設定されて、所定の光信号にしたがって、出力装置206を有効にして、出力信号をユーザーに提供し、出力信号は、識別が完了したことを示す。
【００３６】
本実施形態の通信システム1000と通信方法は、接触信号により通信する。さらに、通信システム1000と通信方法は、周辺機器200A-200Nが認証されるかどうかを識別し、各周辺機器200A-200Nを識別することができる。さらに、通信システム1000と通信方法は、周辺機器の組み合わせに対応して、対応するアプリケーションを実行することができる。
【００３７】
本実施形態の方法、または、特定の態様またはその部分は、プログラムコードの形式（すなわち、実行可能命令）で存在し、プログラムコードは、有形的表現媒体、たとえば、フロッピー（登録商標）ディスク、CD-ROMS、ハードドライブ、または、その他の機械可読ストレージ媒体中に保存される。プログラムコードがロードされ、機械、たとえば、コンピュータにより実行されるとき、機械は、この方法を実現する装置になる。本方法は、また、ある伝送媒体、たとえば、電気配線やケーブル、光ファイバー、または、別の形式の伝送で送信されるプログラムコードの方式で具体化され、プログラムコードが受信され、ロードされ、機械、たとえば、コンピュータにより実行されるとき、機械は、開示される方法を実現する装置になる。汎用プロセッサで実施されるとき、プログラムコードはプロセッサと結合されて、アプリケーション−特定ロジック回路に類似して操作する独特な装置を提供する。
【００３８】
本発明の好ましい実施形態を前述の通り開示したが、これらは決して本発明を限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００３９】
1000  通信システム
100  電子デバイス 
102  接触感知装置 
104  ディスプレイ装置
106  処理装置
108  ストレージデバイス
200  周辺機器
202  接触信号生成器
204  光センサー
206  出力装置 
208  処理装置
210  ストレージデバイス
【図１】
2015127961.tif 000003
【図２】
2015127961.tif 000004
【図３】
2015127961.tif 000005
【図４】
2015127961.tif 000006
【図５】
2015127961.tif 000007